(57)【要約】【課題】従来からの注入バルブ装置と、それに連結した補給用シリンダとをもって、タンク内における補給用燃料の蓄えと、燃料切れしたタンクへの燃料補給を可能とし、外出中での燃料切れでも再注入までの間の使用を可能となす。【解決手段】先端部を注入ノズル２１に形成したバルブ軸２を内部に進退自在に備え、バルブ軸２をばね部材１４により閉弁方向に弾圧して、注入ノズル２１を外端の注入口１１内に突出させたバルブシリンダ１と、バルブシリンダ１の内端に連結した燃料の補給用シリンダ３とからなる。その補給用シリンダ３は閉塞両端３２，３４の中央に流通孔３５，３６を有する。流通孔３５，３６を開閉する環状弁４１，４２を周囲に備えた弁棒４を、バルブ軸３に連設して両流通孔３５，３６に流通間隙を設けて挿通する。【選択図】      図１
2004293952.tif 000002
【特許請求の範囲】
【請求項１】
先端部を注入ノズルに形成したバルブ軸を内部に進退自在に備え、そのバルブ軸をばね部材により閉弁方向に弾圧して、注入ノズルを外端の注入口内に突出させたバルブシリンダと、そのバルブシリンダの内端に連結した液化ガス燃料の補給用シリンダとからなり、
その補給用シリンダは閉塞両端の中央に流通孔を有し、その流通孔を開閉する環状弁を周囲に備えた弁棒を、上記バルブ軸に連設して両流通孔に流通間隙を設けて挿通してなることを特徴とする補給用シリンダを備えたライターの注入バルブ装置。
【請求項２】
上記バルブ軸は、注入ノズル側部の流出口より内側の基部周囲に、バルブシリンダ内の挿通孔の内側段部に設けた弁体と接するフランジバルブを有し、そのフランジバルブと上記補給用シリンダの閉塞内端とにわたる上記ばね部材により閉弁方向に弾圧されてなることを特徴とする請求項１記載の補給用シリンダを備えたライターの注入バルブ装置。
【請求項３】
上記注入ノズルは、上記注入口に突出したノズル周囲に段部を外向きに有し、その段部まで受け口を兼ねる押圧部材をノズル周囲に嵌挿して、該押圧部材を注入口内に可動自在に設けてなることを特徴とする請求項１又は２記載の補給用シリンダを備えたライターの注入バルブ装置。
【請求項４】
上記補給用シリンダは、閉塞内端に中空のねじ軸を一体に突設して有するとともに、ねじ軸内と連通する流出路を閉塞内端の側部に有し、そのねじ軸を上記バルブシリンダ内に螺合して内端に連結してなることを特徴とする請求項１又は２記載の補給用シリンダを備えたライターの注入バルブ装置。
【発明の詳細な説明】
【０００１】
【発明の属する技術分野】
この発明は、液化ガス燃料の補給用シリンダを備えたライターの注入バルブ装置に関するものである。
【０００２】
【従来の技術】
従来のライターの充填装置で、装置本体となる円筒ケーシングの上方部を、液化ガス燃料の貯蔵タンクの働きをする円筒室体とし、その円筒ケーシングの下部内に上下２つのバルブを設けて、主タンクが空になったときに、上方バルブを開放して貯蔵タンクの液化ガス燃料を充填装置から主タンクに補給するものがある（例えば、特許文献１参照）。
【０００３】
【特許文献１】
特公昭５７−５５０９０号公報（第３−４頁、第６−８図、第１１図）。
【０００４】
【発明が解決しようとする課題】
特許文献１に記載の充填装置は、筒状コネクタにより閉塞されたソケット内に、先端部をノズル状のコネクタに形成したピストンと、そのピストンの肩部を弾性シールに当接するスプリングとを設けた同一構造を２つのバルブを、上下に互いのピストンを接続するとともに、ソケット間に相互を分離するスプリングを介在させて、円筒ケーシングの下部内に挿入し、主タンク及び貯蔵タンクへの燃料充填はコネクタを押圧することにより、また主タンクへの燃料補給はソケットを押圧することにより行える構造からなる。
【０００５】
このため通常の注入バルブ装置に比べて構造が複雑となり、また円筒ケーシングが大径のなるので、主タンク内に装着した場合、その占める容積が大きくなって実質的な主タンクの容積が減少し、燃料充填量が少なくなるという課題を有する。また主タンクへの燃料充填は、２つのバルブ間の円筒ケーシングに穿設した流出孔にて行われることから、ライター底面を上向きにすると貯蔵タンクよりも上側に流出孔が位置するので、貯蔵タンクのバルブを開放しても、そのままでは補給用の液化ガス燃料の流出がスムーズに行えず、バルブを開放しながらライター底面を下向きにしなければならない、という不都合な課題をも有する。
【０００６】
この発明の目的は、上記従来の課題を解決するために考えられたものであって、その目的は、バルブシリンダに連結した補給用シリンダの弁棒を注入用のバルブ軸に連設し、バルブ軸の押圧操作によりバルブシリンダ及び補給用シリンダの開閉と、補給用シリンダの開閉とを二様に行えるようにして、装置の簡素と小型化を図るとともに、最下位となる補給用シリンダの外端からタンク内への補給用燃料の放出をも可能とする新たな補給用シリンダを備えたライターの注入バルブ装置を提供することにある。
【０００７】
【課題を解決するための手段】
上記目的によるこの発明は、先端部を注入ノズルに形成したバルブ軸を内部に進退自在に備え、そのバルブ軸をばね部材により閉弁方向に弾圧して、注入ノズルを外端の注入口内に突出させたバルブシリンダと、そのバルブシリンダの内端に連結した燃料の補給用シリンダとからなり、その補給用シリンダは閉塞両端の中央に流通孔を有し、その流通孔を開閉する環状弁を周囲に備えた弁棒を、上記バルブ軸に連設して両流通孔に流通間隙を設けて挿通してなる、というものである。
【０００８】
この発明の上記バルブ軸は、注入ノズル側部の流出口より内側の基部周囲に、バルブシリンダ内の挿通孔の内側段部に設けた弁体と接するフランジバルブを有し、そのフランジバルブと上記補給用シリンダの閉塞内端とにわたる上記ばね部材により閉弁方向に弾圧されてなる、というものである。
【０００９】
また上記注入ノズルは、上記注入口に突出したノズル周囲に段部を外向きに有し、その段部まで受け口を兼ねる押圧部材をノズル周囲に嵌挿して、該押圧部材を注入口内に可動自在に設けてなる、というものである。
【００１０】
さらに、上記補給用シリンダは、閉塞内端に中空のねじ軸を一体に突設して有するとともに、ねじ軸内と連通する流出路を閉塞内端の側部に有し、そのねじ軸を上記バルブシリンダ内に螺合して内端に連結してなる、というものである。
【００１１】
上記構成では、バルブシリンダに補給用シリンダを連結し、その補給用シリンダを開閉する弁棒を、注入用のバルブ軸に連設するだけでよいので、通常構造の注入バルブを採用することができる。またバルブシリンダも大径とならないので、従来の同種の注入バルブ装置よりも小型とすることができ、タンク内に占める容積も補給用シリンダ分が増すだけで済むようになる。
【００１２】
さらにまた、注入ノズルの先端の押圧とノズル周囲の段部の押圧とによる二様のバルブ軸の押圧操作により、バルブシリンダ及び補給用シリンダの開閉と、補給用シリンダの開閉を別個に行え、注入ノズルの先端の押圧では液化ガス燃料の注入と補給用シリンダへの蓄えの両方を、また段部の押圧では補給用シリンダの開弁のみとなり、シリンダ内の液化ガス燃料のタンクへの補給を行い得る。
【００１３】
したがって、補給用シリンダを開閉する弁棒を別に操作する必要がなく、また押圧操作はライター底面を上向きにして行われるので、補給用シリンダの閉塞外端が最下位となり、そこに穿設した流通孔から補給用燃料がタンク内に放出されるので、そのままでも補給がスムーズに生じて短時間で済むようになる。
【００１４】
【発明の実施の形態】
図中１はバルブシリンダ、２は先端部を注入ノズル２１に形成したバルブ軸、３は液化ガス燃料の補給用シリンダ、４はバルブ軸２と一体形成して後部に長く連設した弁棒である。
【００１５】
上記バルブシリンダ１は、外端内の注入口１１に隣接して形成した仕切部１２に挿通孔１３を有し、その挿通孔１３の内側段部に弁体１５が嵌着してある。また仕切部１２の後部から内端開口までの内壁面にはねじが切設してある。
【００１６】
上記バルブ軸２は、注入ノズル２１の側部に穿設した流出口２２より内側の基部周囲に、ばね部材１４により仕切部１２側の上記弁体１５と接して、バルブシリンダ内を気密に閉鎖するフランジバルブ２３を有する。また注入ノズル２１の流出口２２より外側の周囲にはガイドフランジ２４を有し、そのガイドフランジ２４の外端が、注入口１１に突出したノズル周囲の外向き段部となっている。
【００１７】
この注入口内における段部の突出距離は、フランジバルブ２３と流出口２２との距離よりも短く設定してあり、段部が仕切部１２の端面まで押し込まれても、流出口２２は弁体１５の外側の挿通孔１３に位置して、バルブシリンダ１の開弁が生じないようにしてある。
【００１８】
さらに注入ノズル２１には、注入口１１に可動自在に遊嵌した液化ガスボンベのアダプタ６の受け口を兼ねる椀状の押圧部材５が、外向き段部に接するところまで嵌合してあり、その押圧部材５の底面が注入口内の仕切部１２の端部に当たるところまで、注入ノズル２１の押下げが押圧部材５により行えるようにしてある。
【００１９】
上記補給用シリンダ３は、底部に中空のねじ軸３１を外向きに突設した有底シリンダからなり、その底部を閉塞内端３２として側部にねじ軸内と連通する流出路３３を側部に穿設し、シリンダ開口を蓋部材により気密に嵌着して閉塞外端３４としてなる。この閉塞両端３２，３４の中央には、上記バルブ軸２に連設した弁棒４を挿通する流通孔３５，３６が設けてある。また弁棒４の周囲には流通孔３５，３６を開閉する環状弁４１，４２が環状溝に嵌合して取付けてある。
【００２０】
この補給用シリンダ３のバルブシリンダ１の内端への連結は、次のようにして行い得る。先ず弁体１５を内側段部に嵌着してから、ばね部材１４を環状弁体４１，４２を取付ける前の弁棒４に通してバルブフランジ２３に載せ、その状態でバルブ軸２をバルブシリンダ１の内端から内部に挿入して、注入ノズル２１を挿通孔１３に収める。
【００２１】
次に閉塞外端（蓋部材）３４のない補給用シリンダ３を、ねじ軸３１側から弁棒４に挿入し、そのねじ軸３１をバルブシリンダ１の内端部にねじ込んでバルブシリンダ１の内端に連結する。これによりバルブフランジ２３と閉塞内端３２とにわたるばね部材１４が圧縮されて、バルブフランジ２３が弁体１５に圧接され、注入ノズル２１の流出口２２が弁体１５よりも外側の挿通孔１２に位置する。
【００２２】
連結後に、注入ノズル２１を押圧してバルブ軸２と共に弁棒４を押し戻し、閉塞内端３２の流通孔３５から、弁棒周囲の環状溝をシリンダ内に押し出して、環状弁４１を弁棒４の端部から環状溝に嵌め込んで取付ける。次に蓋部材３４をシリンダ開口に嵌着してから、再び弁棒４を押し戻して蓋部材３４の外に押し出した環状溝に環状弁４２を嵌め込んで取付ける。この環状弁４２を取付けたのち、注入ノズル２１に対する押圧力を除くと、ばね部材１４によりフランジバルブ２３が弁体１５に圧接されるところまで、注入ノズル２１及び弁棒４と共に押し戻されて、図１（Ａ）に示す閉弁状態の注入バルブ装置が完成する。
【００２３】
上記構成の注入バルブ装置は、図３に示すように、通常のものと同様に液化ガスを燃料とするライター７のタンク８の内部に、バルブシリンダ１の注入口側を底部９にねじ着して装着され、また押圧部材５は抜け止めリング５ａを周囲に嵌めて、底板９ａの開口部に外部から押圧操作できるように収められる。これにより補給用シリンダ３がバルブシリンダ１と共にタンク内に設置される。
【００２４】
このような注入バルブ装置では、ライターをひっくり返して底面を上向きにし、図示しないボンベノズルに嵌めたアダプタ６を押圧部材５に挿入してノズル先端に押し当て、押圧部材５が仕切部１２の端部に当たるところまで押圧すると、図２に示すように、バルブ軸２と共に弁棒４がばね部材１４を圧縮して押し込められ、注入ノズル２１の流出口２２が弁体１５の内側に移動すると共に、環状弁４１，４２が補給用シリンダ３の流通孔３５，３６を開弁するようになる。
【００２５】
これによりボンベからの液化ガスが、注入ノズル内から流出口２２及びねじ軸３１の内部と流出路３３を経てタンク８に流出すると同時に、一部の液化ガスが閉塞内端３２の開弁した流通孔３５から補給用シリンダ３に流入する。この流入は閉塞外端３４の流通路３６も同時に開放されていることからスムーズに行え、また流通路３６の弁棒周囲の間隙は僅かなものであることから、そこからの流出量は少なく、補給用シリンダ３に液化ガス燃料がタンク側と並行して蓄えられるようになる。
【００２６】
注入後に、ボンベノズル６を離して押圧力を除くと、圧縮されたばね部材１４の反発力によりバルブ軸２と弁棒４が元に戻り、流出孔２２が弁体１５の外側に戻ると同時に、フランジバルブ２３が弁体１５に圧接されてバルブシリンダ内が閉弁状態となる。また補給用シリンダ３では環状弁４１，４２が引き戻されて流通孔３５，３６を閉弁する。この結果、液化ガス燃料はタンク８と補給用シリンダ３両方に蓄えられることになる。
【００２７】
ライターの使用によりタンク８が空になると、通常の注入バルブ装置を備えたライターでは、燃料の再注入をしなければ使用できなくなるが、補給用シリンダ３を備えた注入バルブ装置では、そこに蓄えた液化ガス燃料をタンク８に放出して再注入を行うまでの間、ライターの使用を継続することができる。
【００２８】
この燃料放出は、図２に示すように、押圧部材５が底板９ａの開口部内に収まっていることから、コインなどにより押圧部材５を押し込むことにより容易に行い得る。底面が注入ノズル２１の段部に受け止められた押圧部材５では、その段部が仕切部１２の端面に位置するところまで注入ノズル２１を押込むことができる。
【００２９】
この押込寸法はアダプタ６により注入ノズル２１の先端を押圧してバルブ軸２を押し込んだときよりも小さいため、流出口２２は弁体１５の外側の挿通孔１３内にあって、バルブシリンダ１の開弁には至らないが、弁棒４の環状弁４１，４２は流通孔３５，３６から抜け出て開弁状態となる。これによりシリンダ内がタンク８と連通して両方の流通孔３５，３６から、補給用シリンダ３に蓄えた液化ガス燃料がタンク８に流出して燃料補給となる。したがって、その補給分だけライターを継続して使用することができるようになる。
【図面の簡単な説明】
【図１】この発明に係わるガスライターの注入バルブ装置の閉弁時（Ａ）と補給時（Ｂ）とにおける縦断面図である。
【図２】同じく液化ガス燃料の注入時の縦断面図である。
【図３】この発明の注入バルブ装置を備えたライターの縦断面図である。
【符号の説明】
１    バルブシリンダ
２    バルブ軸
３    補給用シリンダ
４    弁棒
５    押圧部材
１１    注入口
１２    仕切部
１３    挿通孔
１４    ばね部材
１５    弁体
２１    注入ノズル
２２    流出口
２３    フランジバルブ
３１    中空のねじ軸
３２    閉塞内端
３３    流通路
３４    閉塞外端（蓋部材）
３５，３６    流通孔
４１，４２    環状弁
【図１】
2004293952.tif 000003
【図２】
2004293952.tif 000004
【図３】
2004293952.tif 000005